(57)【要約】【課題】極めて廉価に構築でき、且つ構築後簡単に撤去でき、更に近隣住民や歩行者等が監視されているなどの心理的負担を強いられることなく、また街の景観を損なわず、屋内外の非常事態に対応し、コミュニティを全体的に、且つきめ細かく監視できる防犯システムの開発を目的とする。【解決手段】緊急信号により作動する監視カメラ14、非常表示灯15を備えた防犯装置１を、監視地域に既存する複数台の自動販売機２上に設置し、これら防犯装置１群と防犯装置監視制御サーバとをネットワーク接続し、監視カメラ14、非常表示灯15は常には外部に露出させず、緊急信号を受信したときにのみ外部に露出させるようにした防犯システム。【選択図】      図１
2005044246.tif 000002
【特許請求の範囲】
【請求項１】
緊急信号により作動する監視カメラ、非常表示灯を備えた防犯装置を、監視地域に既存する複数台の立体設置物に設置し、これら防犯装置群と防犯装置監視制御サーバとをネットワーク接続したことを特徴とする防犯システム。
【請求項２】
防犯装置は屋内に設置された発信装置からの緊急信号により作動する監視カメラ、非常表示灯を備えた防犯装置である請求項１記載の防犯システム。
【請求項３】
防犯装置は携帯端末発信装置からの緊急信号により作動する監視カメラ、非常表示灯を備えた防犯装置である請求項１記載の防犯システム。
【請求項４】
防犯装置は立体構造物に取り付けられた緊急ボタンの押圧による緊急信号により作動する監視カメラ、非常表示灯を備えた防犯装置である請求項１記載の防犯システム。
【請求項５】
防犯装置は、破壊を受けたときに発する緊急信号により作動する監視カメラ、非常表示灯を備えた防犯装置である請求項１記載の防犯システム。
【請求項６】
防犯装置には緊急事態発生場所の住所、時間等を記録する情報記録装置とこれらの事項を表示する電光掲示板が設けられた請求項１記載の防犯システム。
【請求項７】
防犯装置は、監視カメラと非常表示灯の前にはシャッター部を設け、該シャッター部は緊急信号により作動して監視カメラと非常灯を外部に露出するようにした請求項１記載の防犯システム。
【請求項８】
緊急信号により作動する監視カメラと非常表示灯を設けた防犯装置において、監視カメラと非常表示灯には常には外部から監視カメラと非常表示灯を隠蔽し、緊急信号を受信したときに作動して監視カメラと非常表示灯を外部に露出するシャッター部を設けたことを特徴とする防犯システムに使用する防犯装置。
【発明の詳細な説明】
【技術分野】
【０００１】
この発明は、監視地域の防犯システムとこれに使用する防犯装置に関するものである。
【背景技術】
【０００２】
従来防犯システムとして使用されている防犯灯ポール（所謂スーパー防犯灯）は、緊急ボタン、非常時に作動する監視カメラ、非常表示灯（パトライト）、サイレン、対話型スピーカー等を備えたものであり、これらは監視地域の複数箇所に設置され、且つ防犯灯監視制御サーバとネットワークに接続して防犯システムを構成している。
【０００３】
そして、これらの防犯システムにおいては、屋外での犯罪等の発生時には、被害者が緊急ボタンを押すと、非常表示灯とサイレンが作動し、緊急事態発生を周辺に知らせるとともに監視カメラが犯人を捉え、同時にネットワーク回線を通じて基地局と対話ができるようにする仕組みである。
【特許文献１】特開2003-109155、特開2002-288764、特開2002-298260、特開2002-298261
【発明の開示】
【発明が解決しようとする課題】
【０００４】
したがって、これら従来のシステムにおいては防犯灯は生活道路に沿って一定間隔で配置するなど、街中において出来るだけ多く設置することが防犯上有効であるとされるが、その設置には相応のスペースの確保と基礎工事を伴うため、民有地での設置が難しく、道路用地やその他の公共用地に設置することになるが、このため設置場所が限定されており、効果的な普及には限界がある。
【０００５】
従来の防犯灯ポールは、前述のように、効果を高めるためには設置数を増やさなければならない反面、工事を含めてかなりの費用と時間がかかり、経済的負担が大きくなり、また民間地に設置する場合は、特に地権者との交渉、借地や地役権設定等の手続きなど、事務や時間的コストの負担がかかり、更に土地を改変するため撤去時には現況復帰工事を必要とする。
【０００６】
更に、防犯灯ポールは現状では屋外での非常事態（犯罪など）に対応するシステムであり、近隣周辺の屋内で発生する非常事態に対応するシステムとなっていない。
【０００７】
また、従来の防犯灯ポールは、監視カメラ、非常表示灯が外部に露出しているため、その数を増やせば増やすほど景観を損ねるとともに、近隣住民や歩行者が常に監視されているなどの心理的負担を強いられる。
【０００８】
更に、監視カメラ、非常表示灯が外部に露出しているため、犯人には分かり易くその周辺での犯罪抑止効果はあるが、逆に防犯灯から離れた地点で犯罪が起こる可能性が高くなり、これを防ぐためにダミーの監視カメラを設置することが考えられるが、その機器設置費用がかかる。
【０００９】
また、実際に犯人から逃げている最中では、防犯灯ポールが近くにありながら、その設置場所を知らなかったり、気づかなかったり、或いはその場所を知っていてもそこまで辿り着けないため、防犯灯ポールの機能が利用されない場合があり、更に辿り着いたとしても犯人が迫っている場合は、立ち止まって緊急ボタンを押したり、会話をしたりする余裕がなく、このため防犯灯の機能が利用されないことがある。
【００１０】
なお、複数の防犯灯ポールと、防犯灯監視制御サーバと、携帯端末とをネットワークに接続し、防犯灯監視制御サーバは会員登録した携帯端末器から警報作動要求を受けたときに、最寄りの防犯灯ポールの緊急警報機器を作動させるようにする防犯システムが開示されている（特開2002-288764)。
【００１１】
しかし、これは会員登録した携帯端末器の発する緊急信号しか受け付けず、したがって広く地域住民或いは歩行者の防犯システムとはなり得ない。
【課題を解決するための手段】
【００１２】
この発明は、上記実情に鑑み、緊急信号により作動する監視カメラ、非常表示灯を備えた防犯装置を、監視地域に既存する自動販売機、ポスト、車庫、電柱、標識類、信号機、橋脚等の複数台の立体設置物に設置し、これら防犯装置群と防犯装置監視制御サーバとをネットワーク接続した防犯システムを提案するものである。
【発明の効果】
【００１３】
即ち、この発明によれば監視地域に既存する複数台の立体設置物を利用して防犯装置を設置するため、従来の防犯ポールを使用した防犯システムに比べて極めて廉価に防犯システムを構築することができ、しかも構築された防犯システムの撤去も簡単に行うことができる。
【００１４】
なお、防犯装置としては、従来のように例えば自動販売機等の立体設置物に取り付けられた緊急ボタンの押圧による緊急信号により監視カメラ、非常表示灯を作動させるようにしてもよいが、監視カメラ、非常表示灯を屋内に設置された発信装置からの緊急信号により作動させるようにしてもよく、携帯端末発信装置からの緊急信号により作動させるようにしてもよく、更には防犯装置が破壊を受けたときに緊急信号を発し、この緊急信号により作動させるようにしてもよい。
【００１５】
即ち、防犯装置を屋内に設置された発信装置からの緊急信号により監視カメラ、非常表示灯を作動させるとともに、防犯装置より防犯装置監視制御サーバの基地局に知らせるようにすれば屋内における犯罪等の発生にも対処できる。
【００１６】
また、防犯装置を携帯端末の発信装置からの緊急信号により監視カメラ、非常表示灯を作動させるとともに、防犯装置より防犯装置監視制御サーバの基地局に知らせるようにすれば緊急ボタンを押圧しなくても、通行時に発生した犯罪等に対処できる。
【００１７】
なお、屋内に設置される発信装置乃至携帯端末の発信装置は所定の距離範囲に緊急信号を発するものを使用すれば、最寄りの防犯装置の監視カメラと非常表示灯を作動させることができ、更にはこの防犯装置より防犯装置監視制御サーバの基地局に通報できるので、犯罪等の発生現場特定に有用である。
【００１８】
更に、この発明では防犯装置にあらゆる屋内に設置される発信装置或いは携帯端末の発信装置から発せられる緊急信号も受信し、防犯装置で受信された緊急信号を警察署等の基地局に通報できるようにして広く地域住民或いは歩行者の防犯システムとするようにしてある。
【００１９】
なお、防犯装置に緊急信号を発した発信装置の設置場所、発信時間等を記録する情報記録装置とこれらの事項を外部に表示する電光掲示板を設ければ、通報を受けた基地局よりパトカー等が急行する場合に緊急信号が発せられた場所の特定に便利である。
【００２０】
一方、監視カメラと非常表示灯の前にはシャッター部を設け、常には監視カメラ、非常表示灯を外部より隠蔽し、緊急信号を受けたとき、シャッター部を動して監視カメラと非常灯を外部に露出するようにすれば、通行人に監視カメラにより常に監視されているような威圧感を与えることもなく、また防犯装置の設置現場の景観を損なうこともなく、更に常には監視カメラ、非常表示灯が隠蔽されているため、犯罪の予防効果を発揮し得る。
【発明を実施するための最良の形態】
【００２１】
この発明では、発信装置より発する緊急信号により最寄りの防犯装置の監視カメラ乃至非常表示灯を作動させるため、犯罪等の発生に速やかに対応することができ、また発信装置は屋内にも設置されているため、屋外だけでなく、屋内の犯罪にも対応することができ、更に防犯装置を監視地域内に既に設置されている自動販売機等の立体設置物に設置することにより、極めて廉価に防犯装置を適正な箇所に、適正な数だけ設置することができ、また防犯装置の監視カメラを常には外部より隠蔽することにより、通行人に常に監視カメラに監視されているという威圧感を与えることなく、街の景観を保持することができる。
【実施例１】
【００２２】
以下、この発明を図示の実施例に基づいて詳細に説明すると、図１はこの発明の一実施例を示す防犯システムであり、１は監視地域内に既存する複数台の自動販売機２上に着脱可能に設置された防犯装置、３は防犯監視制御サーバの基地局（例えば、警察署、消防署、警備会社、民間の防犯団体等）、４は自動販売機２の側面の適当な高さに取り付けられた緊急ボタン、５は対話型スピーカー、６は家屋７内に設置された発信装置、８は携帯端末の発信装置であり、発信装置６と８は所定の距離範囲に緊急信号を発するが使用される。
【００２３】
防犯装置１はユニット本体９とユニット本体９に立設されその頂部に防犯灯10を有する支柱11とから構成され、ユニット本体９には受信装置12とそのリレースイッチ12aとセンサー13とそのリレースイッチ13aが内蔵され、支柱11には監視カメラ14とその回転モータ14aと非常表示灯15とその回転モータ15aが内蔵され、監視カメラ14と非常表示灯15はその前方にシャッター部を設けて常には外部より隠蔽され、緊急信号を受けたときにシャッター部を開けて監視カメラ14と非常表示灯15を外部に露出させるものであり、その構成を図３、図４で説明する。
【００２４】
支柱11は透明な外筒16で構成され、外筒16内には不透明な円筒状のシャッター部17が嵌装され、外筒16とシャッター部17との間にはガイドローラ18を介在させ、支柱11の上部には昇降モータ19が設けられ、シャッター部17を外筒16に沿って昇降可能にしてある。
【００２５】
なお、支柱11の上部にはシャッター部17のストッパー20が設けられ、外筒16の内壁にはシャッター部17の落下防止ピン21が設けられる。
【００２６】
そして、常にはシャッター部17は監視カメラ14と非常表示灯15を外部より隠蔽しているが、緊急ボタン４の押圧による緊急信号を受信したとき、或いは受信装置12が緊急信号を受信してリレースイッチ12aがオンすると、昇降モータ19が作動してシャッター部17を上昇させて監視カメラ14と非常表示灯15を外部に露出させるとともに、回転モータ14aと15aが作動して監視カメラ14を回転させて周囲の状況を撮影し、更に非常表示灯15を回転して赤色光を周囲に照射することにより非常事態を周囲に知らせる。
【００２７】
なお、この実施例では防犯装置１が破壊されるような場合には、センサー13がこれを察知してリレースイッチ13aがオンし、これにより上記同様に昇降モータ19によりシャッター部17が上昇して監視カメラ14と非常表示灯15を外部に露出させ、監視カメラ14により周囲の状況を撮影し、更に非常表示灯15により非常事態の発生を知らせるようにしてある。
【００２８】
以上の構成において、屋内或いは屋外において犯罪等が発生して発信装置６或いは８の緊急ボタンが押されると、これより所定距離範囲内に緊急信号が発せられる。
【００２９】
緊急信号の発せられる範囲内にある防犯装置１に内蔵される受発信装置12にこの緊急信号が受信され、緊急事態発生場所の住所、時間等を防犯装置１に内蔵された情報記録装置22に記録し、且つこれらの事項をユニット本体９に設けられた電光掲示板23に赤色表示する。なお、電光掲示板23は通常は日常の行政広報や企業広告を青色表示させるようにしてもよい。
【００３０】
また、緊急信号が受信されると、防犯装置１に内蔵される監視カメラが14と非常表示灯15が外部に露出し、監視カメラ14を作動させて周囲の状況を撮影するとともに、更に非常表示灯15を作動させて防犯装置１の周囲に犯罪等の発生を知らせる。
【００３１】
更に、防犯装置１からは基地局３に緊急信号を発して防犯装置１の位置を知らせ、基地局３では緊急信号を発した防犯装置１の設置場所にパトロールカーを急行させる等の処置を採ることができる。
【００３２】
なお、以上では発信装置６と８の発する緊急信号により防犯装置１の監視カメラ14、非常表示灯15を作動させる例について述べたが、通報者が緊急ボタン４を押して防犯装置１の監視カメラ14と非常表示灯15を作動させるとともに、スピーカー５を使用して基地局３に直接通報するようにしてもよい。
【産業上の利用可能性】
【００３３】
この発明においては町中に既存の自動販売機等の立体設置物に防犯装置を設置するだけで極めて廉価に防犯システムを構築することができ、またその撤去を簡単に行うことができ、更に非常表示灯、監視カメラ等が通常は外部から隠蔽されているため、街の景観を損なうことがない等街内の防犯システムとしては最適である。
【図面の簡単な説明】
【００３４】
【図１】この発明の一実施例を示す防犯システムの説明図
【図２】同上の実施例における自動販売機上に設置された防犯装置の側面図
【図３】同上の実施例においてシャッター部が降りた状態を示す縦断側面図
【図４】同上の防犯装置において緊急時にシャッター部が上昇して監視カメラと非常表示灯が作動した状態を示す縦断側面図
【符号の説明】
【００３５】
１は防犯装置
２は自動販売機
３は防犯監視制御サーバの基地局
４は緊急ボタン
５は対話型スピーカー
６は発信装置
７は家屋
８は携帯端末の発信装置
９はユニット本体
10は防犯灯
11は支柱
12と12aは受信装置とそのリレースイッチ
13と13aはセンサーとそのリレースイッチ
14と14aは監視カメラとその回転モータ
15と15aは非常表示灯とその回転モータ
16は外筒
17は円筒状のシャッター部
18はガイドローラ
19は昇降モータ
20はストッパー
21は落下防止ピン
22は情報記録装置
23は電光掲示板
【図１】
2005044246.tif 000003
【図２】
2005044246.tif 000004
【図３】
2005044246.tif 000005
【図４】
2005044246.tif 000006